(57)【要約】【課題】メイン支持部の組付に関して、水平方向若しくは垂直方向のレール部材又は点状に取り付けられる挿入スリーブに制限されない棚構造体を提供すること。【解決手段】前面部１８及び背面部１９を有する挿入凹部１と、該挿入凹部１へ着脱可能な挿入部を有するメイン支持部とを備えて成り、前記挿入部に、前記挿入凹部１内の係合部材に係合する上側に向いたフックと、挿入状態において前記挿入凹部１の前面部１８に当接するストッパとが設けられた物体陳列用の棚構造体において、前記挿入凹部１を、水平ウェブ及び垂直ウェブによって包囲されつつ前記前面部１８で開口する複数の小室１０を有する格子パネル１として形成するとともに、前記各小室１０における前記フックと係合する前記係合部材を前記水平ウェブの上側のものとした。【選択図】図１Ａ
2009142639.tif 000002
【特許請求の範囲】
【請求項１】
前面部（１８）及び背面部（１９）を有する挿入凹部（１）と、
該挿入凹部（１）へ着脱可能な挿入部（２１）を有するメイン支持部（２）と
を備えて成り、前記挿入部（２１）に、前記挿入凹部（１）内の係合部材（１１）に係合する上側に向いたフック（２４）と、挿入状態において前記挿入凹部（１）の前面部（１８）に当接するストッパとが設けられた物体陳列用の棚構造体において、
前記挿入凹部（１）を、水平ウェブ（１１）及び垂直ウェブ（１２）によって包囲されつつ前記前面部（１８）で開口する複数の小室（１０）を有する格子パネル（１）として形成するとともに、前記各小室（１０）における前記フック（２４）と係合する前記係合部材（１１）を前記水平ウェブ（１１）の上側のものとしたことを特徴とする棚構造体。
【請求項２】
前記小室（１０）を水平方向の行及び鉛直方向の列に互いに区画して設けるとともに前記格子パネル（１）の前記背面部（１９）にも開口部を設け、前記水平ウェブ（１１）及び前記垂直ウェブ（１２）によって前記前面部（１８）及び前記背面部（１９）の間における直角の角を有する特に正方形状の前記開口部を包囲したことを特徴とする請求項１記載の棚構造体。
【請求項３】
前記水平ウェブ（１１）及び前記垂直ウェブ（１２）を前記格子パネル（１）における外縁部において半分の長さに形成して、隣接する他の格子パネル（１）の外縁部における同様に半分の長さの水平ウェブ及び垂直ウェブと組み合わせることにより完全な小室（１０）を形成するとともに、取付部材（８）の固定若しくは担持構造体（９）への直接的な固定及び該担持構造体（９）に対する間隔保持部材として機能するスリーブ（１３）を前記背面部（１９）に設けたことを特徴とする請求項１又は２記載の棚構造体。
【請求項４】
前記挿入部（２１）とブラケット（２０）の間にセグメント（２２）及び該セグメント（２２）のストッパ若しくは前記セグメントに設けられたショルダ部（２７）を設けるとともに、前記メイン支持部（２）が前記小室（１０）に挿入された状態で、該小室（１０）の前面側の開口部を前記セグメント（２２）で完全に覆ったことを特徴とする請求項１〜３のいずれか１項に記載の棚構造体。
【請求項５】
中央ウェブ（２５）の上方において押圧されつつ互いに離間した位置にある２つの側板（２３）を前記挿入部（２１）に設けるとともに、前記フック（２４）を前記側板（２３）から突出させて設けるか、又は前記フック（２４）を前記中央ウェブ（２５）から分岐させて設けたことを特徴とする請求項１〜４のいずれか１項に記載の棚構造体。
【請求項６】
前記小室（１０）内に前記メイン支持部（２）が挿入されている状態で該小室（１０）の前面部（１８）に対するストッパとして該小室における下側の前記水平ウェブ（１１）に当接する横方向ウェブ（２７０）を前記ショルダ部（２７）に設けるとともに、センタリング部材（２７１）を前記各側板（２３）から突出させて設け、かつ、該センタリング部材の幅を前記小室（１０）の開口部の幅と同様に設定し、該センタリング部材（２７１）を前記ショルダ部（２７）又は前記側板（２３）に設けたことを特徴とする請求項１〜５のいずれか１項に記載の棚構造体。
【請求項７】
前記小室（１０）内に前記メイン支持部（２）が挿入されている状態で該小室における上側の前記水平ウェブ（１１）を押圧するバネ（２８）を前記挿入部（２１）の上部に設けて、この前記小室（１０）内に前記メイン支持部（２）が挿入されている状態を安定化させたことを特徴とする請求項１〜６のいずれか１項に記載の棚構造体。
【請求項８】
前記バネ（２８）を、前記ショルダ部（２７）から延設するとともに貫通孔（２６）を通して前記中央ウェブ（２５）に貫設したことを特徴とする請求項１〜７のいずれか１項に記載の棚構造体。
【請求項９】
前記挿入部（２１）を前記ブラケット（２０）と結合するか、又は前記挿入部（２１）によってサブ支持部（３）を直接支持したことを特徴とする請求項１〜８のいずれか１項に記載の棚構造体。
【請求項１０】
前記サブ支持部（３）を、複数の前記挿入部（２１）によって直接支持するか、前記挿入部（２１）から延設された前記ブラケット（２０）によって支持するか、又は前記挿入部（２１）から延設された複数の前記ブラケット（２０）によって支持し、前記サブ支持部（３）を複数の前記挿入部（２１）によって直接支持するか、又は前記挿入部（２１）から延設された複数の前記ブラケット（２０）によって支持する場合に、前記挿入部（２１）を、これが覆うべき前記小室（１０）の位置に合わせて配置したことを特徴とする請求項９記載の棚構造体。
【発明の詳細な説明】
【技術分野】
【０００１】
本発明は、前面部及び背面部を有する挿入凹部と、該挿入凹部へ着脱可能な挿入部を有するメイン支持部とを備えて成り、前記挿入部に、前記挿入凹部内の係合部材に係合する上側に向いたフックと、挿入状態において前記挿入凹部の前面部に当接するストッパとが設けられた物体陳列用の棚構造体に関するものである。また、少なくとも１つのメイン支持部は、サブ支持部を支持するようになっている。なお、通常、このような棚構造体は、店舗内で組み立てられる。
【背景技術】
【０００２】
特許文献１及び特許文献２には物体用の点状に取付可能な挿入スリーブが開示されており、この挿入スリーブには、支持アームが挿入されるようになっている。また、特許文献３〜特許文献５には水平方向にレール部材が設けられており、このレール部材に支持アームが挿入されるようになっている。さらに、特許文献６及び特許文献７には垂直方向にレール部材が設けられており、係止部に沿った適当な高さで、支持アームがこれを迅速に取り外せるよう配置されている。
【特許文献１】欧州特許第０７１６８２５号明細書
【特許文献２】独国実用新案第２０２００５０１９８０９号明細書
【特許文献３】欧州特許第０９９１３４９号明細書
【特許文献４】欧州特許第１１５２６７５号明細書
【特許文献５】独国実用新案第２０２００５００２７３８号明細書
【特許文献６】欧州特許第１３１２２８７号明細書
【特許文献７】独国実用新案第２０２００５００６６０７号明細書
【発明の開示】
【発明が解決しようとする課題】
【０００３】
本発明の目的とするところは、メイン支持部の組付に関して、水平方向若しくは垂直方向のレール部材又は点状に取り付けられる挿入スリーブに制限されない棚構造体を提供することにある。このような棚構造体においては、少なくとも１つのメイン支持部によってサブ支持部が支持されるようになっており、大量生産に適したコストとすることが可能である。
【課題を解決するための手段】
【０００４】
上記目的を達成するため、本発明は、前面部及び背面部を有する挿入凹部と、該挿入凹部へ着脱可能な挿入部を有するメイン支持部とを備えて成り、前記挿入部に、前記挿入凹部内の係合部材に係合する上側に向いたフックと、挿入状態において前記挿入凹部の前面部に当接するストッパとが設けられた物体陳列用の棚構造体において、前記挿入凹部を、水平ウェブ及び垂直ウェブによって包囲されつつ前記前面部で開口する複数の小室を有する格子パネルとして形成するとともに、前記各小室における前記フックと係合する前記係合部材を前記水平ウェブの上側のものとしたことを特徴としている。
【０００５】
また、本発明の一実施形態は、前記小室を水平方向の行及び鉛直方向の列に互いに区画して設けるとともに前記格子パネルの前記背面部にも開口部を設け、前記水平ウェブ及び前記垂直ウェブによって前記前面部及び前記背面部の間における直角の角を有する特に正方形状の前記開口部を包囲したことを特徴としている。
【０００６】
また、本発明の一実施形態は、前記水平ウェブ及び前記垂直ウェブを前記格子パネルにおける外縁部において半分の長さに形成して、隣接する他の格子パネルの外縁部における同様に半分の長さの水平ウェブ及び垂直ウェブと組み合わせることにより完全な小室を形成するとともに、取付部材の固定若しくは担持構造体への直接的な固定及び該担持構造体に対する間隔保持部材として機能するスリーブを前記背面部に設けたことを特徴としている。
【０００７】
また、本発明の一実施形態は、前記挿入部とブラケットの間にセグメント及び該セグメントのストッパ若しくは前記セグメントに設けられたショルダ部を設けるとともに、前記メイン支持部が前記小室に挿入された状態で、該小室の前面側の開口部を前記セグメントで完全に覆ったことを特徴としている。
【０００８】
また、本発明の一実施形態は、中央ウェブの上方において押圧されつつ互いに離間した位置にある２つの側板を前記挿入部に設けるとともに、前記フックを前記側板から突出させて設けるか、又は前記フックを前記中央ウェブから分岐させて設けたことを特徴としている。
【０００９】
また、本発明の一実施形態は、前記小室内に前記メイン支持部が挿入されている状態で該小室の前面部に対するストッパとして該小室における下側の前記水平ウェブに当接する横方向ウェブを前記ショルダ部に設けるとともに、センタリング部材を前記各側板から突出させて設け、かつ、該センタリング部材の幅を前記小室の開口部の幅と同様に設定し、該センタリング部材を前記ショルダ部又は前記側板に設けたことを特徴としている。
【００１０】
また、本発明の一実施形態は、前記小室内に前記メイン支持部が挿入されている状態で該小室における上側の前記水平ウェブを押圧するバネを前記挿入部の上部に設けて、この前記小室内に前記メイン支持部が挿入されている状態を安定化させたことを特徴としている。
【００１１】
また、本発明の一実施形態は、前記バネを、前記ショルダ部から延設するとともに貫通孔を通して前記中央ウェブに貫設したことを特徴としている。
【００１２】
また、本発明の一実施形態は、前記挿入部を前記ブラケットと結合するか、又は前記挿入部によってサブ支持部を直接支持したことを特徴としている。
【００１３】
さらに、本発明の一実施形態は、前記サブ支持部を、複数の前記挿入部によって直接支持するか、前記挿入部から延設された前記ブラケットによって支持するか、又は前記挿入部から延設された複数の前記ブラケットによって支持し、前記サブ支持部を複数の前記挿入部によって直接支持するか、又は前記挿入部から延設された複数の前記ブラケットによって支持する場合に、前記挿入部を、これが覆うべき前記小室の位置に合わせて配置したことを特徴としている。
【発明の効果】
【００１４】
本発明によれば、メイン支持部の組付に関して、水平方向若しくは垂直方向のレール部材又は点状に取り付けられる挿入スリーブに制限されない棚構造体を提供することが可能であり、大量生産に適したコストとすることが可能となる。
【発明を実施するための最良の形態】
【００１５】
以下に本発明の実施の形態を添付図面に基づいて説明する。なお、以下では、図には符号が付けられているが、この図に対応する説明におけるすべての符号について説明していない。これら説明していない符号については、その前後において説明している。また、理解を容易にするため、既に説明した部材については、以降の説明においてその多くを省略している。
【００１６】
＜図１Ａ〜図２Ｄ＞
パネル状の担持構造体９の前面部１８には平面状に互いに隣接する複数の挿入凹部である格子パネル１が設けられており、この格子パネル１は、互いに小室１０の隙間のない平面を形成している。また、各格子パネル１は複数の水平方向の水平ウェブ１１と鉛直方向の垂直ウェブ１２を有しており、小室１０は、これら水平ウェブ１１及び垂直ウェブ１２によって画成されている。なお、直角状、特に正方形状に形成された小室１０は、上記前面部１８及び背面部１９に対して開放されている。
【００１７】
しかして、小室１０内にはメイン支持部２が挿設されてサブ支持部３を担持するか、又は直接物体を支持することができるようになっている。また、格子パネル１の背面部１９には互いに対称に設けられたいくつかのスリーブ１３が水平ウェブ１１と垂直ウェブ１２の交差部（交点）に設けられており、このスリーブ１３は、担持構造体９に対する隙間１７の調整部材として機能する。さらに、このスリーブ１３は、該スリーブ１３にネジ９９と螺合するネジ孔９０を穿設して担持構造体９への固定にも用いることが可能である。なお、水平ウェブ１１及び垂直ウェブ１２の角部分は丸みを帯びた形状としている。
【００１８】
また、格子パネル１における外縁に位置する水平ウェブ１１及び垂直ウェブ１２はその長さを通常の半分の長さとしてあり、この半分の長さの水平ウェブ１１及び垂直ウェブ１２を隣接する格子パネル１における同様に半分の長さの水平ウェブ１１及び垂直ウェブ１２と合わせることで完全な小室１０が形成されるようになっている。
【００１９】
＜図３Ａ〜図３Ｆ＞
ところで、担持構造体９におけるスリーブ１３への直接的な螺着に代えて、板状の取付部材８を設けることも可能である。この取付部材８は、その中心部にある孔をスリーブ１３に貫通させ、この孔から放射状に穿設された複数の孔にその背面部からネジ８９によって固定するものである。そして、担持構造体９の前面部１８における小室１０の開口部にネジ９９を貫通させて担持構造体９を固定する。なお、背面部１９における隙間１７は、前記同様背面部１９から突出したスリーブ１３によって保たれている。
【００２０】
＜図４及び図５＞
格子パネル１の一体的な表面部に代えて、より自由度の高い、互いに分離された複数の表面部を担持構造体９に取り付けることもでき、この場合、各表面部は少なくとも１つの格子パネル１によって形成されている。この格子パネル１は、メイン支持部２と、必要であれば更にサブ支持部３と共に備え付けられている（図４）。なお、他の形態として、格子パネル１を階段状に組み付けたものが考えられる（図５）。
【００２１】
＜図６Ａ〜図７Ｃ＞
これらの図は、棒状のブラケット２０と、該ブラケット２０の第２の端部２０２に設けられたセグメント２２と、該セグメント２２に設けられた挿入部２１とから成るメイン支持部２に関するものである。ここで、ブラケット２０の第１の端部２０１は、空間へ突出した自由端となっている。
【００２２】
しかして、ブラケット２０の反対側には図示のように互いに離間して設けられた２つの側板２３が設けられており、これら側板２３は、中央ウェブ２５の上方において押圧されている。また、各側板２３からはフック２４が突出している。そして、ショルダ部２７の横方向ウェブ２７０は当接部を形成している。セグメント２２の下部において両側板２３間に配置されたこのショルダ部２７の左右両側にはそれぞれセンタリング部材２７１が延設されており、このセンタリング部材２７１は、隣接する側板２３から側方へ突出して設けられている。
【００２３】
また、ショルダ部２７は、例えば貫通孔２７２に螺合するネジ２９によってセグメント２２と結合されている。さらに、側板２３の中央ウェブ２５とフック２４の間における部分には、凹部２３１が形成されている。そして、側板２３の下部には自由面２３２が設けられており、この自由面２３２のセグメント２２側には、凸部２３３が連続して設けられている。また、中央ウェブ２５には貫通孔２６が設けられており、ショルダ部２７から分岐したバネ２８がこの貫通孔２６を貫通して延設されている。
【００２４】
＜図８Ａ〜図１２Ｆ＞
これらの図は、メイン支持部２をその挿入部２１と共に小室１０へ取り付ける際の過程を段階的に示したものである。
【００２５】
〔第１段階（図８Ａ及び図８Ｂ）〕
ブラケット２０の第１の端部２０１が持ち上げられた状態で挿入部２１が小室１０内へ挿入される。このとき、自由面２３２は、下側の水平ウェブ１１の上部に当接することになる。また、上側の水平ウェブ１１の前端部はバネ２８に当接し、両側板２３が、覆われるべき小室１０の両垂直ウェブ１２の間に位置することになる。なお、フック２４は、まだ上側の水平ウェブ１１の背面側端部の下方に位置している。
【００２６】
〔第２段階（図９Ａ及び図９Ｂ）〕
取付過程が進むと、側板２３における凸部２３３が下側の水平ウェブ１１に当接するようになり、同時に、バネ２８もより強く上側の水平ウェブ１１の前端部に当接するようになる。そして、フック２４も、上側の水平ウェブ１１の背面側端部の下方により接近することになる。
【００２７】
〔第３段階（図１０Ａ及び図１０Ｂ）〕
取付過程が更に進むと、凸部２３３が下側の水平ウェブ１１に更に強く当接するとともに、バネ２８も更に強く上側の水平ウェブ１１の下部に当接することになる。そして、フック２４は、上側の水平ウェブ１１の背面側端部の後方へと至る。
【００２８】
〔第４段階（図１１Ａ及び図１１Ｂ）〕
そして、取付過程がほぼ完了した状態では、凸部２３３がほぼ完全に下側の水平ウェブ１１に当接するとともに、バネ２８も更に強く付勢されることになる。そして、フック２４は、上側の水平ウェブ１１の背面側端部の後方へと更に移動する。
【００２９】
〔第５段階（図１２Ａ〜図１２Ｆ）〕
最後に、取付過程が完全に完了した状態では、凸部２３３が完全に下側の水平ウェブ１１と当接するとともに、上側の水平ウェブ１１に抗するように作用するバネ２８がメイン支持部２の不意の脱落を防止するように機能している。そして、フック２４は、上側の水平ウェブ１１の背面側端部を下から係合支持するとともに、隙間１７へ突出している。
【００３０】
また、セグメント２２が小室１０の前面部１８に向いた開口部を完全に覆っている。さらに、ショルダ部２７の横方向ウェブ２７０はストッパとして下側の水平ウェブ１１の前端部に当接し、センタリング部材２７１は小室１０内の挿入部２１のセンタリングをするよう機能している。なお、セグメント２２は、隣接する小室１０への他のメイン支持部２の取付の妨げとならない程度に水平ウェブ１１及び垂直ウェブ１２から突出している。
【図面の簡単な説明】
【００３１】
【図１Ａ】本発明による棚構造体を格子パネルと共に示す斜視図である。
【図１Ｂ】図１Ａに示す棚構造体の正面図である。
【図１Ｃ】図１Ａに示す棚構造体の側面図である。
【図１Ｄ】図１ＡにおけるＸ１部分の拡大図である。
【図１Ｅ】図１ＣにおけるＸ２部分の拡大図である。
【図２Ａ】担持構造体及びこれから分離された図１Ａに示す格子パネルの一部を前面部から見た斜視図である。
【図２Ｂ】図２Ａに示すものを背面部から見た斜視図である。
【図２Ｃ】図２Ａに示す担持構造体と格子パネルを互いに取り付けた状態を前面部から見た斜視図である。
【図２Ｄ】図２Ｃに示すものを背面部から見た斜視図である。
【図３Ａ】図１Ａに示す格子パネルを取付部材及びこれに付随するネジと共に前面部から見て示す分解斜視図である。
【図３Ｂ】図３Ａに示すものを背面部から見て示す分解斜視図である。
【図３Ｃ】図３Ａに示すものを組み立てた状態で示した斜視図である。
【図３Ｄ】図３Ｃに示すものの正面図である。
【図３Ｅ】図３Ｃに示すものの平面図である。
【図３Ｆ】図３Ｃに示すものの側面図である。
【図４】互いに分離された複数の格子パネルに支持部を取り付けた本発明による棚構造体の正面図である。
【図５】階段状に構成された格子パネルの斜視図である。
【図６Ａ】メイン支持部全体を棒状のブラケットと共に示す上方から見た斜視図である。
【図６Ｂ】図６Ａに示すものの下方から見た斜視図である。
【図７Ａ】図６Ａに示すメイン支持部を組み立てた状態を示す斜視図である。
【図７Ｂ】図７Ａに示すメイン支持部を別の方向から見た斜視図である。
【図７Ｃ】図７Ａに示すメイン支持部を下方から見た斜視図である。
【図８Ａ】メイン支持部を格子パネルにおける小室内へ挿入する際の第１段階を示す側面図である。
【図８Ｂ】図８ＡにおけるＸ３部分の拡大図である。
【図９Ａ】メイン支持部を格子パネルにおける小室内へ挿入する際の第２段階を示す側面図である。
【図９Ｂ】図９ＡにおけるＸ４部分の拡大図である。
【図１０Ａ】メイン支持部を格子パネルにおける小室内へ挿入する際の第３段階を示す側面図である。
【図１０Ｂ】図１０ＡにおけるＸ５部分の拡大図である。
【図１１Ａ】メイン支持部を格子パネルにおける小室内へ挿入する際の第４段階を示す側面図である。
【図１１Ｂ】図１１ＡにおけるＸ６部分の拡大図である。
【図１２Ａ】メイン支持部を格子パネルにおける小室内へ挿入する際の第５段階を示す側面図である。
【図１２Ｂ】図１２ＡにおけるＸ７部分の拡大図である。
【図１２Ｃ】図１Ａに示す格子パネルにおける小室に図７Ａに示すメイン支持部を完全に挿入した状態を示す前面部から見た斜視図である。
【図１２Ｄ】図１２ＣにおけるＸ８部分の拡大図である。
【図１２Ｅ】図１２Ｃに示すものの背面部から見た斜視図である。
【図１２Ｆ】図１２ＥにおけるＸ９部分の拡大図である。
【符号の説明】
【００３２】
１            格子パネル
２            メイン支持部
３            サブ支持部
８            取付部材
９            担持構造体
１０          小室
１１          水平ウェブ
１２          垂直ウェブ
１３          スリーブ
１７          隙間
１８          前面部
１９          背面部
２０          ブラケット
２０１        ブラケットの第１の端部
２０２        ブラケットの第２の端部
２１          挿入部
２２          セグメント
２３          側板
２３１        凹部
２３２        自由面
２３３        凸部
２４          フック
２５          中央ウェブ
２６          貫通孔
２７          ショルダ部
２７０        ショルダ部の横方向ウェブ
２７１        センタリング部材
２７２        貫通孔
２８          バネ
２９          ネジ
８９，９９    ネジ
９０          貫通孔
【図１Ａ】
2009142639.tif 000003
【図１Ｂ】
2009142639.tif 000004
【図１Ｃ】
2009142639.tif 000005
【図１Ｄ】
2009142639.tif 000006
【図１Ｅ】
2009142639.tif 000007
【図２Ａ】
2009142639.tif 000008
【図２Ｂ】
2009142639.tif 000009
【図２Ｃ】
2009142639.tif 000010
【図２Ｄ】
2009142639.tif 000011
【図３Ａ】
2009142639.tif 000012
【図３Ｂ】
2009142639.tif 000013
【図３Ｃ】
2009142639.tif 000014
【図３Ｄ】
2009142639.tif 000015
【図３Ｅ】
2009142639.tif 000016
【図３Ｆ】
2009142639.tif 000017
【図４】
2009142639.tif 000018
【図５】
2009142639.tif 000019
【図６Ａ】
2009142639.tif 000020
【図６Ｂ】
2009142639.tif 000021
【図７Ａ】
2009142639.tif 000022
【図７Ｂ】
2009142639.tif 000023
【図７Ｃ】
2009142639.tif 000024
【図８Ａ】
2009142639.tif 000025
【図８Ｂ】
2009142639.tif 000026
【図９Ａ】
2009142639.tif 000027
【図９Ｂ】
2009142639.tif 000028
【図１０Ａ】
2009142639.tif 000029
【図１０Ｂ】
2009142639.tif 000030
【図１１Ａ】
2009142639.tif 000031
【図１１Ｂ】
2009142639.tif 000032
【図１２Ａ】
2009142639.tif 000033
【図１２Ｂ】
2009142639.tif 000034
【図１２Ｃ】
2009142639.tif 000035
【図１２Ｄ】
2009142639.tif 000036
【図１２Ｅ】
2009142639.tif 000037
【図１２Ｆ】
2009142639.tif 000038